(57)【要約】【課題】本発明の課題は、空調機器の動作時に、空調機器の動作モードに応じた外気温と内気温との相関関係の報知を行える報知システム、報知プログラム、及び報知方法を提供することである。【解決手段】報知システム１０では、処理部２６は、内気温取得部２１により取得された内気温と外気温取得部２２により取得された外気温が報知条件を満たす場合に、報知情報を出力する報知処理を行う。報知条件は、動作モード取得部２３により取得された空調機器９０の動作モードに対応する温度条件を含む。温度条件は、少なくとも、内気温取得部２１により取得された内気温と外気温取得部２２により取得された外気温とが動作モード取得部２３により取得された動作モードに対応する相関関係を満たすことを条件としている。【選択図】図１
2018004201.tif 000002
【特許請求の範囲】
【請求項１】
室内空間の温度である内気温を取得する内気温取得部と、
室外空間の温度である外気温を取得する外気温取得部と、
前記室内空間に対応する空調機器の動作モードを取得する動作モード取得部と、
前記内気温取得部により取得された前記内気温と前記外気温取得部により取得された前記外気温が、前記動作モード取得部により取得された前記動作モードに対応する温度条件を含む報知条件を満たす場合に、報知情報を出力する報知処理を行う処理部と、
を備え、
前記温度条件は、少なくとも、前記内気温取得部により取得された前記内気温と前記外気温取得部により取得された前記外気温とが前記動作モード取得部により取得された前記動作モードに対応する相関関係を満たすことを条件とする、
報知システム。
【請求項２】
前記報知条件は、さらに、時間条件を含み、
前記時間条件は、前記内気温取得部により取得された前記内気温と前記外気温取得部により取得された前記外気温が前記温度条件を満たしている状態が所定時間継続することを条件とする、
請求項１の報知システム。
【請求項３】
前記相関関係は、前記室外空間が前記室内空間よりも快適である場合の前記内気温と前記外気温との関係である、
請求項１又は２の報知システム。
【請求項４】
前記動作モードは、冷房モードを含み、
前記温度条件は、前記冷房モードに対応する冷房温度条件を含み、
前記冷房温度条件の前記相関関係は、前記外気温が前記内気温より低いという関係である、
請求項１〜３のうちいずれか一つの報知システム。
【請求項５】
前記冷房温度条件は、さらに、前記外気温が冷房閾温度以下であることを条件とする、
請求項４の報知システム。
【請求項６】
前記動作モードは、暖房モードを含み、
前記温度条件は、前記暖房モードに対応する暖房温度条件を含み、
前記暖房温度条件の前記相関関係は、前記外気温が前記内気温より高いという関係である、
請求項１〜５のうちいずれか一つの報知システム。
【請求項７】
前記暖房温度条件は、さらに、前記外気温が暖房閾温度以上であることを条件とする、
請求項６の報知システム。
【請求項８】
前記温度条件は、さらに、前記内気温と前記外気温との差の絶対値が所定値以上であることを条件とする、
請求項１〜７のうちいずれか一つの報知システム。
【請求項９】
表示端末をさらに備え、
前記報知処理は、前記報知情報を、前記表示端末に送信する送信処理を含み、
前記表示端末は、前記報知情報を受け取ると、前記報知情報を表示するように構成される、
請求項１〜８のうちのいずれか一つの報知システム。
【請求項１０】
前記表示端末の現在位置を取得する位置取得部をさらに備え、
前記処理部は、前記報知処理において、前記位置取得部により取得された前記現在位置が前記室内空間の外である場合は、前記送信処理を行わないように構成される、
請求項９の報知システム。
【請求項１１】
前記処理部は、前記位置取得部により取得された前記現在位置が前記室内空間の外である場合に前記現在位置が前記室内空間に向かって移動していれば、前記送信処理を行うように構成される、
請求項１０の報知システム。
【請求項１２】
前記表示端末は、自身の現在位置が前記室内空間の外である場合は、前記報知情報を表示しないように構成される、
請求項９の報知システム。
【請求項１３】
前記表示端末は、前記現在位置が前記室内空間の外である場合に前記現在位置が前記室内空間に向かって移動していれば、前記報知情報を表示するように構成される、
請求項１２の報知システム。
【請求項１４】
前記報知情報は、前記空調機器を停止して前記室外空間の空気を前記室内空間に取り入れることを促すメッセージを含む、
請求項９〜１３のうちいずれか一つの報知システム。
【請求項１５】
コンピュータシステムにより実行されると、前記コンピュータシステムを報知システムとして機能させるプログラムであって、
前記報知システムは、
室内空間の温度である内気温を取得する内気温取得部と、
室外空間の温度である外気温を取得する外気温取得部と、
前記室内空間に対応する空調機器の動作モードを取得する動作モード取得部と、
前記内気温取得部により取得された前記内気温と前記外気温取得部により取得された前記外気温が、前記動作モード取得部により取得された前記動作モードに対応する温度条件を含む報知条件を満たす場合に、報知情報を出力する報知処理を行う処理部と、
を備え、
前記温度条件は、少なくとも、前記内気温取得部により取得された前記内気温と前記外気温取得部により取得された前記外気温とが前記動作モード取得部により取得された前記動作モードに対応する相関関係を満たすことを条件とする、
報知プログラム。
【請求項１６】
室内空間の温度である内気温を、コンピュータシステムにより取得し、
室外空間の温度である外気温を、前記コンピュータシステムにより取得し、
前記室内空間に対応する空調機器の動作モードを、前記コンピュータシステムにより取得し、
前記コンピュータシステムにより取得された前記内気温及び前記外気温が前記コンピュータシステムにより取得された前記動作モードに対応する温度条件を含む報知条件を満たす場合に、前記コンピュータシステムにより、報知情報を出力する報知処理を行い、
前記温度条件は、少なくとも、前記コンピュータシステムにより取得された前記内気温及び前記外気温が前記コンピュータシステムにより取得された前記動作モードに対応する相関関係を満たすことを条件とする、
報知方法。
【発明の詳細な説明】
【技術分野】
【０００１】
本発明は、一般に報知システム、報知プログラム、及び報知方法に関し、特に、空調機器に関連する報知を行う報知システム、報知プログラム、及び報知方法に関する。
【背景技術】
【０００２】
従来、様々な情報を利用してユーザに有用な情報を報知する報知システム、特に、空調機器に関連する報知を行う報知システムが提供されている。特許文献１は、エアコン（空調機器）のログ情報を利用することを開示する。特許文献１では、エアコンのログ情報は、エアコンの設定温度を示す情報、エアコンが配置された居室の室外温度（外気温）を示す情報、及び、エアコンが配置された居室の室内温度（内気温）を示す情報を含んでいる。また、エアコンが動作を開始した時点から、室内温度が設定温度に到達するまでの到達時間の変化の傾向を表す表示データを生成し、認証されたユーザの表示端末に、表示データを提供している。
【先行技術文献】
【特許文献】
【０００３】
【特許文献１】国際公開第２０１４／１７１１１８号
【発明の概要】
【発明が解決しようとする課題】
【０００４】
外気温は一日を通じて変化する。そのため、空調機器の動作中に、内気温よりも外気温のほうがユーザにとって快適な温度となる場合がある。この場合、ユーザが、空調機器を停止して室外空間の空気を室内空間に取り入れれば、室内空間がユーザにとってより快適な状態になる可能性がある。しかしながら、ユーザが室内空間にいる場合が多く、外気温と内気温とがどのような関係になっているかを知る機会は少ない。
【０００５】
本発明の課題は、空調機器の動作時に、空調機器の動作モードに応じた外気温と内気温との相関関係の報知を行える報知システム、報知プログラム、及び報知方法を提供することである。
【課題を解決するための手段】
【０００６】
本発明に係る一態様の報知システムは、内気温取得部と、外気温取得部と、動作モード取得部と、処理部と、を備える。前記内気温取得部は、室内空間の温度である内気温を取得するように構成される。前記外気温取得部は、室外空間の温度である外気温を取得するように構成される。前記動作モード取得部は、前記室内空間に対応する空調機器の動作モードを取得するように構成される。前記処理部は、前記内気温取得部により取得された前記内気温と前記外気温取得部により取得された前記外気温が、報知条件を満たす場合に、報知情報を出力する報知処理を行うように構成される。前記報知条件は、前記動作モード取得部により取得された前記動作モードに対応する温度条件を含む。前記温度条件は、少なくとも、前記内気温取得部により取得された前記内気温と前記外気温取得部により取得された前記外気温とが前記動作モード取得部により取得された前記動作モードに対応する相関関係を満たすことを条件とする。
【０００７】
本発明に係る一態様の報知プログラムは、コンピュータシステムにより実行されると、前記コンピュータシステムを報知システムとして機能させるプログラムである。前記報知システムは、内気温取得部と、外気温取得部と、動作モード取得部と、処理部と、を備える。前記内気温取得部は、室内空間の温度である内気温を取得するように構成される。前記外気温取得部は、室外空間の温度である外気温を取得するように構成される。前記動作モード取得部は、前記室内空間に対応する空調機器の動作モードを取得するように構成される。前記処理部は、前記内気温取得部により取得された前記内気温と前記外気温取得部により取得された前記外気温が、報知条件を満たす場合に、報知情報を出力する報知処理を行うように構成される。前記報知条件は、前記動作モード取得部により取得された前記動作モードに対応する温度条件を含む。前記温度条件は、少なくとも、前記内気温取得部により取得された前記内気温と前記外気温取得部により取得された前記外気温とが前記動作モード取得部により取得された前記動作モードに対応する相関関係を満たすことを条件とする。
【０００８】
本発明に係る一態様の報知方法は、室内空間の温度である内気温をコンピュータシステムにより取得し、室外空間の温度である外気温を前記コンピュータシステムにより取得する。さらに、上記態様の報知方法は、前記室内空間に対応する空調機器の動作モードを前記コンピュータシステムにより取得する。さらに、上記態様の報知方法は、前記コンピュータシステムにより取得された前記内気温及び前記外気温が前記動作モードに対応する温度条件を含む報知条件を満たす場合に、前記コンピュータシステムにより、報知情報を出力する報知処理を行う。前記温度条件は、少なくとも、前記コンピュータシステムにより取得された前記内気温及び前記外気温が前記コンピュータシステムにより取得された前記動作モードに対応する相関関係を満たすことを条件とする。
【発明の効果】
【０００９】
本発明に係る態様の報知システム、報知プログラム、及び報知方法は、空調機器の動作時に、空調機器の動作モードに応じた外気温と内気温との相関関係の報知を行えるという利点がある。
【図面の簡単な説明】
【００１０】
【図１】図１は、本発明に係る一実施形態の報知システムの要部のブロック図である。
【図２】図２は、同上の報知システムの説明図である。
【図３】図３は、同上の報知システムの動作のフローチャートである。
【図４】図４は、同上の報知システムの報知処理のフローチャートである。
【図５】図５は、空調機器の冷房モードで動作している場合の同上の報知システムの動作の説明図である。
【図６】図６は、空調機器の暖房モードで動作している場合の同上の報知システムの動作の説明図である。
【発明を実施するための形態】
【００１１】
１．実施形態
本発明に係る一実施形態の報知システム１０は、空調機器に関連する報知を行うためのシステムである。本実施形態の報知システム１０は、図２に示すように、コントローラ２０と、３台の表示端末３０（３０Ａ，３０Ｂ，３０Ｃ）と、サーバ装置４０と、を備える。また、報知システム１０は、ネットワーク５０に接続されるルータ６０を備える。コントローラ２０及びルータ６０は、施設１００に設置されている。施設１００は、例えば、戸建住宅である。なお、施設１００は、集合住宅の各住戸等の戸建住宅以外の住宅、あるいは事務所、店舗等の非住宅であってもよい。コントローラ２０は、ルータ６０を介してネットワーク５０に接続され、これによって、サーバ装置４０に接続されている。ネットワーク５０は、例えば、インターネット等の宅外ネットワークである。なお、ルータ６０は必須ではない。
【００１２】
サーバ装置４０は、少なくとも、ＣＰＵ（Central Processing Unit）、メモリ、及び通信インターフェースを有するコンピュータで構成される。サーバ装置４０は、ネットワーク５０を介して表示端末３０に様々なコンテンツを提供する。コンテンツは、例えば、施設１００の電気エネルギーの使用状況に関する情報等を含む。
【００１３】
表示端末３０は、表示情報（例えば、後述の報知情報）を受け取ると、表示情報を表示するように構成される。表示端末３０は、表示部３１を有する端末である。表示部３１は、例えば、液晶ディスプレイ等である。表示端末３０は、コントローラ２０又はサーバ装置４０から受信した表示情報を表示部３１に表示する機能を有する。例えば、表示情報がメッセージ（例えばテキストメッセージや画像）を含んでいれば、表示端末３０は、受信した表示情報に含まれるメッセージを表示部３１に表示する。表示端末３０は、プッシュ通知により、受信した表示情報を表示部３１に表示してもよい。表示端末３０は、少なくとも、ディスプレイ、ＣＰＵ、メモリ、及び通信インターフェースを有するコンピュータで構成される。
【００１４】
表示端末３０Ａは、施設１００内で使用される専用モニタである。例えば、表示端末３０Ａは、ＨＥＭＳ（Home Energy Management System）対応の専用モニタである。表示端末３０Ａは、ルータ６０にＬＡＮケーブルで接続されている。表示端末３０Ｂ，３０Ｃは、携帯端末（例えば、スマートフォン）である。図２では、表示端末３０Ｂは、施設１００内にあるから、ルータ６０との間で例えばＷｉ−Ｆｉ（登録商標）に準拠した近距離無線通信を行う。図２では、表示端末３０Ｃは、施設１００外にあるため、例えば、通信事業者が提供する携帯電話網（キャリア網）を介して、ネットワーク５０に接続される。携帯電話網には、例えば３Ｇ（第３世代）回線、ＬＴＥ（Long Term Evolution）回線等がある。あるいは、表示端末３０Ｃは、公衆無線ＬＡＮ（Local Area Network）を介してネットワーク５０に接続されてもよい。なお、表示端末３０Ａ，３０Ｂ，３０Ｃは、コントローラ２０と直接的に通信可能に構成されていてもよい。表示端末３０Ａ，３０Ｂ，３０Ｃとコントローラ２０との通信方式は、例えば、有線通信、又は、Ｗｉ−Ｆｉ（登録商標）及び免許を必要としない小電力無線（特定小電力無線）等の無線通信であってもよい。この種の小電力無線については、用途等に応じて使用する周波数帯域や空中線電力等の仕様が各国で規定されている。日本国においては、９２０ＭＨｚ帯又は４２０ＭＨｚ帯の電波を使用する小電力無線が規定されている。なお、表示端末３０は、専用モニタ及びスマートフォンに限らず、タブレット端末等の携帯情報端末、パーソナルコンピュータ、又はスマートテレビ等のネットワーク５０に接続可能な情報端末であってもよい。
【００１５】
このように、表示端末３０は、ネットワーク５０を介さずに宅内ネットワークによりコントローラ２０に接続される場合もあるし、ネットワーク５０を介してコントローラ２０に接続される場合もある。例えば、表示端末３０は、施設１００内にある場合は、ネットワーク５０を介さずに宅内ネットワークによりコントローラ２０に接続されることが多い。一方、表示端末３０は、施設１００外にある場合は、ネットワーク５０を介してコントローラ２０に接続されることが多い。もちろん、表示端末３０は、施設１００内にあっても、ネットワーク５０を介してコントローラ２０に接続され得る。例えば、表示端末３０が施設１００内にある場合には、表示端末３０を、ネットワーク５０を介してコントローラ２０に接続するか、ネットワーク５０を介さずに宅内ネットワークによりコントローラ２０に接続するかをユーザが選択してもよい。
【００１６】
表示端末３０Ａ，３０Ｂ，３０Ｃは、施設１００に対応付けて登録されている。例えば、コントローラ２０及びサーバ装置４０は、施設１００に対応付けて登録されている表示端末が、表示端末３０Ａ，３０Ｂ，３０Ｃであるという情報を記憶している。
【００１７】
コントローラ２０は、内気温計７０、外気温計８０、及び空調機器９０と通信するように構成されている。内気温計７０、外気温計８０、及び空調機器９０とコントローラ２０との通信方式は、表示端末３０と同様に、例えば、有線通信、又は、Ｗｉ−Ｆｉ（登録商標）及び免許を必要としない小電力無線（特定小電力無線）等の無線通信であってもよい。
【００１８】
内気温計７０は、施設１００の室内空間１１０に配置され、室内空間１１０の温度である内気温を計測する。室内空間１１０は、施設１００の内部空間の一部（例えば、複数ある部屋の一つ）であってもよいし、施設１００の内部空間の全部であってもよい。内気温計７０は、例えば、サーミスタのような温度センサと、温度センサが検出した温度（内気温）に対応するデジタル値のデータを出力する出力処理部と、を備える。内気温計７０は、内気温に所定値以上の変化が生じた場合、又は、コントローラ２０から要求された場合に、コントローラ２０に内気温を通知する。なお、内気温計７０は、輻射熱を計測しないように筐体に収納される。
【００１９】
外気温計８０は、施設１００の室外空間１２０に配置され、室外空間１２０の温度である外気温を計測する。外気温計８０は、例えば、サーミスタのような温度センサと、温度センサが検出した温度（外気温）に対応するデジタル値のデータを出力する出力処理部と、を備える。外気温計８０は、外気温に所定値以上の変化が生じた場合、又は、コントローラ２０から要求された場合に、コントローラ２０に外気温を通知する。なお、外気温計８０は、輻射熱を計測しないように筐体に収納される。
【００２０】
空調機器９０は、ヒートポンプを用いた空調装置である。空調機器９０は、室内空間１１０に配置される室内機と、室外空間１２０に配置される室外機と、を備える。つまり、空調機器９０は室内空間１１０に対応している。空調機器９０は、冷房モード（冷房運転）及び暖房モード（暖房運転）を含む動作モードを有する。空調機器９０は、冷房モードでは、内気温が設定温度に等しくなるように、冷気を室内空間１１０に送る。空調機器９０は、暖房モードでは、内気温が設定温度に等しくなるように、暖気を室内空間１１０に送る。空調機器９０は、動作を開始した場合、又は、コントローラ２０から要求された場合に、コントローラ２０に動作モードを通知する。例えば、内気温計７０は、空調機器９０の室内機に設けられる。外気温計８０は、空調機器９０の室外機に設けられる。
【００２１】
コントローラ２０は、図１に示すように、内気温取得部２１、外気温取得部２２、動作モード取得部２３、通信部２４、位置取得部２５及び処理部２６を備える。コントローラ２０は、少なくとも、ＣＰＵ、メモリ、及び、通信インターフェースを有するコンピュータで構成される。ＣＰＵが、メモリに格納されたプログラムを実行することで、内気温取得部２１、外気温取得部２２、動作モード取得部２３、通信部２４、位置取得部２５及び処理部２６として機能する。なお、内気温取得部２１、外気温取得部２２、動作モード取得部２３、通信部２４、位置取得部２５及び処理部２６は、コントローラ２０が実現する機能を示しており、個々に物理的な実体として存在しているわけではない。コントローラ２０は、いわゆるＨＥＭＳコントローラであって、施設１００に設置されているＨＥＭＳ対応の電気機器（例えば、空調機器９０）と通信し、電気機器の動作状態の監視又は制御を行う。コントローラ２０は、表示端末３０から制御コマンドを受信し、制御コマンドに応じて空調機器９０を制御してもよい。
【００２２】
内気温取得部２１は、内気温（現在の内気温）を取得するように構成される。内気温取得部２１は、内気温計７０と通信し、内気温計７０から内気温を取得する。内気温取得部２１は、取得した内気温を、処理部２６に出力する。
【００２３】
外気温取得部２２は、外気温（現在の外気温）を取得するように構成される。外気温取得部２２は、外気温計８０と通信し、外気温計８０から外気温を取得する。外気温取得部２２は、取得した外気温を、処理部２６に出力する。
【００２４】
動作モード取得部２３は、室内空間１１０に対応する空調機器９０の動作モード（現在の動作モード）を取得するように構成される。動作モード取得部２３は、空調機器９０が動作しているかどうかを判断する。例えば、動作モード取得部２３は、空調機器９０に応答要求を送信した後に空調機器９０から応答を受け取れば、空調機器９０が動作していると判断する。また、動作モード取得部２３は、空調機器９０から動作を開始したことを通知されると、空調機器９０が動作していると判断してもよい。また、動作モード取得部２３は、空調機器９０の動作モードを監視する装置（例えば、空調機器９０に電力を供給する分電盤を含む計測システムや、エネルギーマネジメントシステム）から、空調機器９０の動作モードを取得してもよい。例えば、動作モード取得部２３は、空調機器９０の消費電力と消費電力量との少なくとも一方に基づいて、空調機器９０の動作モードを推定してもよい。動作モード取得部２３は、空調機器９０が動作している場合、空調機器９０と通信し、空調機器９０から動作モードを取得する。動作モード取得部２３は、取得した動作モードを、処理部２６に出力する。
【００２５】
通信部２４は、表示端末３０Ａ，３０Ｂ，３０Ｃ及びサーバ装置４０と通信するように構成される。通信部２４は、ルータ６０を介してネットワーク５０に接続される。つまり、コントローラ２０は、ネットワーク５０を介して表示端末３０及びサーバ装置４０と通信する。
【００２６】
位置取得部２５は、携帯端末である表示端末３０の現在位置を取得するように構成される。位置取得部２５は、施設１００に対応付けて登録されている表示端末３０Ａ，３０Ｂ，３０Ｃのうち、表示端末３０Ｂ，３０Ｃの現在位置を取得する。位置取得部２５は、空調機器９０の動作中、定期的にネットワーク５０を通じて表示端末３０Ｂ，３０Ｃに現在位置を要求してもよい。この場合、表示端末３０Ｂ，３０Ｃは、現在位置の要求に応じて、ＧＰＳ機能により現在位置（ＧＰＳ座標）を取得し、位置取得部２５に提供してもよい。また、表示端末３０Ｂ，３０Ｃは、ネットワーク５０を通じてコントローラ２０に、空調機器９０の制御コマンドを送信する際に、現在位置を一緒に送信してもよい。この場合、位置取得部２５は、表示端末３０Ｂ，３０Ｃからコントローラ２０に送信された現在位置を取得してもよい。位置取得部２５は、表示端末３０Ｂ，３０Ｃの現在位置を取得すると、処理部２６に出力する。
【００２７】
処理部２６は、判定処理及び報知処理を行うように構成される。処理部２６は、空調機器９０が動作を開始すると、判定処理を行う。また、処理部２６は、所定の時間間隔で、又は、新たな内気温及び外気温を取得したタイミングで、判定処理を行う。
【００２８】
判定処理は、内気温取得部２１により取得された内気温と外気温取得部２２により取得された外気温が報知条件を満たすかどうかを判定する処理である。
【００２９】
報知条件は、動作モード取得部２３により取得された動作モードに対応する温度条件を含む。温度条件は、少なくとも、内気温取得部２１により取得された内気温と外気温取得部２２により取得された外気温とが動作モード取得部２３により取得された動作モードに対応する相関関係を満たすことを条件とする。相関関係は、室外空間１２０が室内空間１１０よりも快適である場合の内気温と外気温との関係である。換言すれば、相関関係は、空調機器９０を使用する必要が無い場合の内気温と外気温との関係である。内気温と外気温とが冷房相関関係を満たしていれば、空調機器９０を停止して室外空間１２０の空気を室内空間１１０に取り入れた場合に室内空間１１０がユーザにとって快適な状態になる可能性が高くなる。
【００３０】
空調機器９０の動作モードは、冷房モード及び暖房モードを含んでおり、温度条件は、冷房モードに対応する冷房温度条件及び暖房モードに対応する暖房温度条件を含んでいる。
【００３１】
冷房温度条件の相関関係（冷房相関関係）は、外気温が内気温より低いという関係である。したがって、空調機器９０の動作時に、空調機器９０の冷房モードに応じた外気温と内気温との相関関係の報知を行える。また、冷房温度条件は、さらに、外気温が冷房閾温度以下であることを条件とする。冷房閾温度は、人が快適と感じる外気温の範囲（以下、「快適範囲」という）から選択されることが好ましい。冷房閾温度は、快適範囲のうちの比較的高い温度であることが好ましく、快適範囲の上限値であることがより好ましい。例えば、快適範囲が２０℃〜２８℃である場合、冷房閾温度は、２８℃であることが好ましい。外気温が冷房閾温度以下であれば、空調機器９０を停止して室外空間１２０の空気を室内空間１１０に取り入れた場合に室内空間１１０がユーザにとって快適な状態になる可能性がさらに高くなる。
【００３２】
暖房温度条件の相関関係（暖房相関関係）は、外気温が内気温より高いという関係である。したがって、空調機器９０の動作時に、空調機器９０の暖房モードに応じた外気温と内気温との相関関係の報知を行える。また、暖房温度条件は、さらに、外気温が暖房閾温度以上であることを条件とする。暖房閾温度は、快適範囲から選択されることが好ましい。暖房閾温度は、快適温度範囲のうち比較的低い温度であることが好ましく、快適温度範囲の下限値であることがより好ましい。例えば、快適範囲が２０℃〜２８℃である場合、暖房閾温度は、２０℃であることが好ましい。外気温が暖房閾温度以上であれば、空調機器９０を停止して室外空間１２０の空気を室内空間１１０に取り入れた場合に室内空間１１０がユーザにとって快適状態になる可能性がさらに高くなる。
【００３３】
温度条件（冷房温度条件及び暖房温度条件）は、さらに、内気温と外気温との差の絶対値（温度差）が所定値以上であることを条件とする。所定値は、人が、内気温と外気温との差を感じることができる程度であることが好ましい。例えば、所定値は１〜５℃であり、本実施形態では、１℃である。温度差が所定値未満であれば、空調機器９０を停止して室外空間１２０の空気を室内空間１１０に取り入れた場合に室内空間１１０がユーザにとって快適な状態になる可能性が高くない。この場合、内気温及び外気温が報知条件を満たさないから、処理部２６は報知処理を行わない。そのため、ユーザに余計な（実効性が低い）報知情報を与えなくて済む。
【００３４】
報知条件は、温度条件に加えて、時間条件を含む。時間条件は、内気温取得部２１により取得された内気温と外気温取得部２２により取得された外気温が温度条件を満たしている状態が所定時間継続することを条件とする。所定時間は、例えば、１分である。報知条件が時間条件を含んでいれば、何らかの要因で一時的に温度条件が満たされた場合に、処理部２６が、現在の内気温と現在の外気温とが報知条件を満たしていると誤って判断してしまう可能性を低減できる。
【００３５】
処理部２６は、判定処理を行い、内気温取得部２１により取得された内気温と外気温取得部２２により取得された外気温が報知条件を満たすかどうかを判定する。処理部２６は、内気温取得部２１により取得された内気温と外気温取得部２２により取得された外気温が報知条件を満たす場合に、報知処理を行う。処理部２６は、内気温取得部２１により取得された内気温と外気温取得部２２により取得された外気温が報知条件を満たさない場合、報知処理を行わない。
【００３６】
報知処理は、報知情報を出力する処理である。報知処理は、報知情報を表示端末３０に送信する送信処理を含む。そのため、ユーザが報知情報に気付きやすくなる。報知システム１０は３台の表示端末３０を有しており、処理部２６は、３台の表示端末３０のそれぞれに対して報知処理を実行する。報知情報は、表示端末３０で表示される表示情報である。報知情報は、例えば、空調機器９０を停止して室外空間１２０の空気を室内空間１１０に取り入れることを促すメッセージ（例えば、テキストメッセージ）を含む。この場合、ユーザが、空調機器９０を停止して室外空間１２０の空気を室内空間１１０に取り入れる行動（例えば、窓を開ける、換気扇を動作させる等）をとりやすくなる。また、送信処理では、処理部２６は、報知情報を、電子メールとして表示端末３０に送信してもよい。
【００３７】
処理部２６は、報知処理において、位置取得部２５により取得された表示端末３０の現在位置が室内空間１１０の外である場合に、送信処理を行わないように構成される。処理部２６は、ＧＰＳ座標において、表示端末３０の現在位置が、室内空間１１０の範囲内にあるかどうかを判定する。なお、ＧＰＳ座標における室内空間１１０の範囲は、予めコントローラ２０に登録される。表示端末３０の現在位置が室内空間１１０の外である場合、表示端末３０のユーザは、空調機器９０を停止して室外空間１２０の空気を室内空間１１０に取り入れる行動をとることが難しい。この場合、処理部２６は送信処理を行わないから、ユーザに余計な報知情報を与えなくて済む。
【００３８】
また、処理部２６は、報知処理において、位置取得部２５により取得された現在位置が室内空間１１０の外である場合に位置取得部２５により取得された現在位置が室内空間１１０に向かって移動していれば、送信処理を行うように構成される。処理部２６は、位置取得部２５により表示端末３０の現在位置の変化を取得し、現在位置の変化から現在位置が室内空間１１０の範囲に向かって移動しているかどうかを判定してもよい。現在位置が室内空間１１０に向かって移動している場合、表示端末３０のユーザは施設１００に向かっていると可能性が高く、空調機器９０を停止して室外空間１２０の空気を室内空間１１０に取り入れる行動をとることができる場合がある。そのため、ユーザが有用な報知情報を受け取れない可能性を低減できる。
【００３９】
次に、処理部２６の動作を、図３及び図４のフローチャートを参照して説明する。図３のフローチャートは主に判定処理（Ｓ１１，Ｓ１２，Ｓ２１〜Ｓ２６，Ｓ３１〜Ｓ３６）を示し、図４のフローチャートは報知処理（Ｓ４１〜Ｓ４５）を示す。なお、図３のフローチャートにおいて、ステップＳ２３〜Ｓ２５の順番、及び、ステップＳ３３〜Ｓ３５の順番は一例であって特に限定されない。
【００４０】
まず、図３のフローチャートに示すように、処理部２６は、動作モード取得部２３から動作モードを取得する（Ｓ１１）。処理部２６は、動作モードが冷房モードであるか暖房モードであるかを判断する（Ｓ１２）。動作モードが冷房モードである場合（Ｓ１２；冷房モード）、処理部２６は、冷房モードに対応する温度条件である冷房温度条件を選択する（Ｓ２１）。また、処理部２６は、内気温取得部２１から内気温を取得し、外気温取得部２２から外気温を取得する（Ｓ２２）。次に、処理部２６は、内気温と外気温とが冷房モードに対応する相関関係を満たすかどうかを判定する（Ｓ２３）。具体的には、処理部２６は、外気温が内気温より低いかどうかを判定する。外気温が内気温より低ければ（Ｓ２３；ＹＥＳ）、処理部２６は、外気温が冷房閾温度（例えば、２８℃）以下かどうかを判定する（Ｓ２４）。外気温が冷房閾温度以下であれば（Ｓ２４；ＹＥＳ）、処理部２６は、内気温と外気温との差の絶対値（温度差）が所定値（例えば、１℃）以上であるかどうかを判定する（Ｓ２５）。温度差が所定値以上であれば（Ｓ２５；ＹＥＳ）、処理部２６は、内気温と外気温が温度条件（冷房温度条件）を満たしている状態（充足状態）が所定時間継続したかどうかを判定する（Ｓ２６）。処理部２６は、充足状態の継続時間のカウント値が所定時間に対応する値に達したかどうかを判定する。充足状態がまだ所定時間継続していない場合（Ｓ２６；ＮＯ）、処理部２６は、充足状態の継続時間のカウント値を１増やして、ステップＳ２２に戻る。充足状態が所定時間継続した場合（Ｓ２６；ＹＥＳ）、判定処理の結果は、内気温と外気温が報知条件を満たしているということになる。この場合、処理部２６は、報知処理を行う（Ｓ４０）。一方、外気温が内気温より低くない場合（Ｓ２３；ＮＯ）、外気温が冷房閾温度より低くない場合（Ｓ２４；ＮＯ）又は温度差が所定値以上でない場合（Ｓ２５；ＮＯ）、判定処理の結果は、内気温と外気温が報知条件を満たしていないということになる。この場合、処理部２６は、報知処理を行わない。
【００４１】
一方、図３のステップＳ１２において、動作モードが暖房モードである場合（Ｓ１２；暖房モード）、処理部２６は、暖房モードに対応する温度条件である暖房温度条件を選択する（Ｓ３１）。また、処理部２６は、内気温取得部２１から内気温を取得し、外気温取得部２２から外気温を取得する（Ｓ３２）。次に、処理部２６は、内気温と外気温とが暖房モードに対応する相関関係を満たすかどうかを判定する（Ｓ３３）。具体的には、処理部２６は、外気温が内気温より高いかどうかを判定する。外気温が内気温より高ければ（Ｓ３３；ＹＥＳ）、処理部２６は、外気温が暖房閾温度（例えば、２０℃）以上かどうかを判定する（Ｓ３４）。外気温が暖房閾温度以上であれば（Ｓ３４；ＹＥＳ）、処理部２６は、ステップＳ２５と同様に、温度差が所定値（例えば、１℃）以上であるかどうかを判定する（Ｓ３５）。温度差が所定値以上であれば（Ｓ３５；ＹＥＳ）、処理部２６は、ステップＳ２６と同様に、内気温と外気温が温度条件（暖房温度条件）を満たしている状態（充足状態）が所定時間継続したかどうかを判定する（Ｓ３６）。充足状態がまだ所定時間継続していない場合（Ｓ３６；ＮＯ）、処理部２６は、充足状態の継続時間のカウント値を１増やして、ステップＳ３２に戻る。充足状態が所定時間継続した場合（Ｓ３６；ＹＥＳ）、判定処理の結果は、内気温と外気温が報知条件を満たしているということになる。この場合、処理部２６は、報知処理を行う（Ｓ４０）。一方、外気温が内気温より高くない場合（Ｓ３３；ＮＯ）、外気温が暖房閾温度以上でない場合（Ｓ３４；ＮＯ）又は温度差が所定値以上でない場合（Ｓ３５；ＮＯ）、判定処理の結果は、内気温と外気温が報知条件を満たしていないということにまる。この場合、処理部２６は、報知処理を行わない。
【００４２】
次に、報知処理における処理部２６の動作を、図４のフローチャートを参照して説明する。まず、処理部２６は、表示端末３０が携帯端末であるかどうかを判定する（Ｓ４１）。表示端末３０が携帯端末ではないと判断すると（Ｓ４１；ＮＯ）、処理部２６は、送信処理を行い、これによって報知情報を表示端末３０に送信する（Ｓ４５）。表示端末３０は、報知情報を受け取ると、報知情報に含まれるメッセージを表示部３１に表示する。一方、表示端末３０が携帯端末であると判断すると（Ｓ４１；ＹＥＳ）、処理部２６は、位置取得部２５により表示端末３０の現在位置を取得する（Ｓ４２）。そして、処理部２６は、現在位置が室内空間１１０内であるかどうかを判定する（Ｓ４３）。現在位置が室内空間１１０内であると判断すると（Ｓ４３；ＹＥＳ）、処理部２６は、送信処理を行う（Ｓ４５）。一方、現在位置が室内空間１１０内にないと判断すると（Ｓ４３；ＮＯ）、処理部２６は、現在位置が室内空間１１０に向かって移動しているかどうかを判定する（Ｓ４４）。現在位置が室内空間１１０に向かって移動していると判断すると（Ｓ４４；ＹＥＳ）、処理部２６は、送信処理を実行する（Ｓ４５）。一方、現在位置が室内空間１１０に向かって移動していないと判断すると（Ｓ４４；ＹＥＳ）、処理部２６は、送信処理を行わず、報知情報は表示端末３０に送信されない。表示端末３０は、報知情報を受け取ることができないから、報知情報に含まれるメッセージを表示部３１に表示することもない。
【００４３】
次に、報知システム１０の動作を、図５及び図６を参照して説明する。なお、図５及び図６において、Ｔｅｍｐ１は内気温、Ｔｅｍｐ２は外気温を示している。また、以下の説明において、冷房閾温度は２８℃であり、暖房閾温度は２０℃である。
【００４４】
図５は、夏季の一日のうちの７時から１９時の内気温Ｔｅｍｐ１及び外気温Ｔｅｍｐ２の変化を示している。図５の時刻Ｔ１１において、ユーザが、空調機器９０を冷房モード（設定温度２９℃）で動作させている。これにより、処理部２６は判定処理を開始し、動作モードが冷房モードであるから（Ｓ１２；冷房モード）、冷房温度条件を選択する。時刻Ｔ１１において、外気温Ｔｅｍｐ２は内気温Ｔｅｍｐ１より低いが（Ｓ２３；ＹＥＳ）、外気温Ｔｅｍｐ２が冷房閾温度（２８℃）以下ではない（Ｓ２４；ＮＯ）。そのため、処理部２６は、内気温Ｔｅｍｐ１と外気温Ｔｅｍｐ２が報知条件を満たしていないと判断し、報知処理を行わない。その後、時刻Ｔ１２において内気温Ｔｅｍｐ１が外気温Ｔｅｍｐ２より低くなり、さらに時刻Ｔ１３では、内気温Ｔｅｍｐ１が空調機器９０の設定温度（２９℃）に等しくなっている。しかしながら、外気温Ｔｅｍｐ２が内気温Ｔｅｍｐ１より高いため（Ｓ２３；ＮＯ）、処理部２６は、未だ内気温Ｔｅｍｐ１と外気温Ｔｅｍｐ２が報知条件を満たしていないと判断する。その後の時刻Ｔ１４では、外気温Ｔｅｍｐ２が低下し、内気温Ｔｅｍｐ１より低くなっている（Ｓ２３；ＹＥＳ）。しかし、外気温Ｔｅｍｐ２はまだ冷房閾温度（２８℃）以下ではない（Ｓ２４；ＮＯ）。そのため、処理部２６は、内気温Ｔｅｍｐ１と外気温Ｔｅｍｐ２が報知条件を満たしていないと判断する。その後の時刻Ｔ１５では、外気温Ｔｅｍｐ２がさらに低下し、冷房閾温度（２８℃）以下になっており（Ｓ２４；ＹＥＳ）、また、温度差も所定値（ここでは１℃）以上である（Ｓ２５；ＹＥＳ）。この充足状態が所定時間継続すると（Ｓ２６；ＹＥＳ）、処理部２６は、内気温Ｔｅｍｐ１と外気温Ｔｅｍｐ２が報知条件を満たしていると判断して、報知処理を行う（Ｓ４０）。これによって、コントローラ２０から表示端末３０に報知情報を送信される。表示端末３０は、受信した報知情報を表示部３１に表示する。表示部３１の表示を見たユーザは、空調機器９０を停止して室外空間１２０の空気を室内空間１１０に取り入れる行動をとることができる。時刻Ｔ１５以後、空調機器９０が停止しており、室外空間１２０の空気が室内空間１１０に取り入れられている。時刻Ｔ１５以後は空調機器９０が停止しているため、処理部２６は判定処理を行わない。
【００４５】
図６は、冬季の一日のうちの７時から１９時の内気温Ｔｅｍｐ１及び外気温Ｔｅｍｐ２の変化を示している。図６の時刻Ｔ２１において、ユーザが、空調機器９０を暖房モード（設定温度１９℃）で動作させている。これにより、処理部２６は判定処理を開始し、動作モードが暖房モードであるから（Ｓ１２；暖房モード）、暖房温度条件を選択する。時刻Ｔ２１において、外気温Ｔｅｍｐ２は内気温Ｔｅｍｐ１より低い（Ｓ３３；ＮＯ）。そのため、処理部２６は、内気温Ｔｅｍｐ１と外気温Ｔｅｍｐ２が報知条件を満たしていないと判断し、報知処理を行わない。その後の時刻Ｔ２２では、内気温Ｔｅｍｐ１が空調機器９０の設定温度（１９℃）に等しくなっているが、外気温Ｔｅｍｐ２が内気温Ｔｅｍｐ１より低いため、処理部２６は、内気温Ｔｅｍｐ１と外気温Ｔｅｍｐ２が報知条件を満たしていないと判断する。その後の時刻Ｔ２３では、外気温Ｔｅｍｐ２が上昇し、内気温Ｔｅｍｐ１より高くなっている（Ｓ３３；ＹＥＳ）。しかし、外気温Ｔｅｍｐ２はまだ暖房閾温度（２０℃）以上ではない（Ｓ３４；ＮＯ）。そのため、処理部２６は、内気温Ｔｅｍｐ１と外気温Ｔｅｍｐ２が報知条件を満たしていないと判断する。その後の時刻Ｔ２４では、外気温Ｔｅｍｐ２がさらに上昇し、暖房閾温度（２０℃）以上になっており（Ｓ３４；ＹＥＳ）、また、温度差も所定値（ここでは１℃）以上である（Ｓ３５；ＹＥＳ）。この充足状態が所定時間継続すると（Ｓ３６；ＹＥＳ）、処理部２６は、内気温Ｔｅｍｐ１と外気温Ｔｅｍｐ２が報知条件を満たしていると判断して、報知処理を行う（Ｓ４０）。これによって、コントローラ２０から表示端末３０に報知情報を送信される。表示端末３０は、受信した報知情報を表示部３１に表示する。表示部３１の表示を見たユーザは、空調機器９０を停止して室外空間１２０の空気を室内空間１１０に取り入れる行動をとることができる。時刻Ｔ２４以後、空調機器９０が停止しており、室外空間１２０の空気が室内空間１１０に取り入れられている。時刻Ｔ２４以後は空調機器９０が停止しているため、処理部２６は判定処理を行わない。
【００４６】
以上述べた本実施形態の報知システム１０では、処理部２６は、内気温取得部２１により取得された内気温と外気温取得部２２により取得された外気温が報知条件を満たす場合に、報知情報を出力する報知処理を行う。報知条件は、動作モード取得部２３により取得された動作モードに対応する温度条件を含む。温度条件は、少なくとも、内気温取得部２１により取得された内気温と外気温取得部２２により取得された外気温とが動作モード取得部２３により取得された動作モードに対応する相関関係を満たすことを条件としている。そのため、報知システム１０は、空調モードの動作時に内気温と外気温とが、動作モードに対応する相関関係を満たしている場合に、報知情報を出力できる。したがって、本実施形態の報知システム１０は、空調機器９０の動作時に、空調機器９０の動作モードに応じた外気温と内気温との相関関係の報知を行える。
【００４７】
本実施形態の報知システム１０は、例えば、コンピュータシステムが報知プログラムを実行することによって実現され得る。言い換えれば、報知プログラムは、コンピュータシステムにより実行されると、コンピュータシステムを本実施形態の報知システムとして機能させる。この報知プログラムによれば、報知システム１０と同様に、空調機器９０の動作時に、空調機器９０の動作モードに応じた外気温と内気温との相関関係の報知を行える。このような報知プログラムは、例えば、インターネット等の電気通信回線を通じて、又はメモリカード等の記録媒体に記録されてコンピュータシステムに提供されてもよいし、コンピュータシステムのメモリに予め記録されていてもよい。ここで、コンピュータシステムは、１又は複数のコンピュータで構成されるシステムを意味する。つまり、報知システム１０は、表示端末３０、コントローラ２０、及びサーバ装置４０を備えることは必須ではなく、例えば、表示端末３０とコントローラ２０とサーバ装置４０とのうちの少なくとも１つの装置によって構成されてもよい。例えば、表示端末３０、コントローラ２０、及びサーバ装置４０のうち２以上の装置が報知システム１０の機能を分担してもよい。また、報知システム１０の少なくとも一部の機能は、例えば、クラウド（クラウドコンピューティング）によって実現されてもよい。
【００４８】
言い換えれば、コンピュータシステムが、報知プログラムを実行することによって、次の報知方法を実行する。すなわち、報知方法は、室内空間１１０の温度である内気温をコンピュータシステムにより取得し、室外空間１２０の温度である外気温をコンピュータシステムにより取得し、空調機器９０の動作モードをコンピュータシステムにより取得する。さらに、報知方法は、コンピュータシステムにより取得された内気温及び外気温が前記動作モードに対応する温度条件を含む報知条件を満たす場合に、コンピュータシステムにより、報知情報を出力する報知処理を行う。温度条件は、少なくとも、コンピュータシステムにより取得された内気温及び外気温がコンピュータシステムにより取得された動作モードに対応する相関関係を満たすことを条件とする。この報知方法によれば、報知システム１０と同様に、空調機器９０の動作時に、空調機器９０の動作モードに応じた外気温と内気温との相関関係の報知を行える。
【００４９】
２．変形例
本発明の実施形態は、上記の実施形態に限定されない。上記の実施形態は、本発明の目的を達成できれば、設計等に応じて種々の変更が可能である。
【００５０】
例えば、変形例では、冷房温度条件は、外気温が冷房閾温度以下であることを条件としなくてもよい。換言すれば、判断処理において、ステップＳ２４を省略してもよい。また、外気温が冷房閾温度以下であることを冷房温度条件が条件とするかどうかをユーザが（例えば、表示端末３０を用いて）選択できるようにしてもよい。また、冷房閾温度をユーザが（例えば、表示端末３０を用いて）入力できるようにしてもよい。
【００５１】
同様に、暖房温度条件は、外気温が暖房閾温度以上であることを条件としなくてもよい。換言すれば、判断処理において、ステップＳ３４を省略してもよい。あるいは、外気温が暖房閾温度以下であることを暖房温度条件が条件とするかどうかをユーザが（例えば、表示端末３０を用いて）選択できるようにしてもよい。また、暖房閾温度をユーザが（例えば、表示端末３０を用いて）入力できるようにしてもよい。
【００５２】
例えば、変形例では、温度条件（冷房温度条件及び暖房温度条件）は、内気温と外気温との差の絶対値（温度差）が所定値以上であることを条件としなくてもよい。換言すれば、判断処理において、ステップＳ２５，Ｓ３５を省略してもよい。あるいは、内気温と外気温との差の絶対値（温度差）が所定値以上であることを温度条件が条件とするかどうかをユーザが（例えば、表示端末３０を用いて）選択できるようにしてもよい。また、所定値をユーザが（例えば、表示端末３０を用いて）入力できるようにしてもよい。
【００５３】
例えば、変形例では、報知条件は、時間条件を含んでいなくてもよい。換言すれば、判断処理において、ステップＳ２６，Ｓ３６を省略してもよい。あるいは、報知条件が時間条件を含むかどうかをユーザが（例えば、表示端末３０を用いて）選択できるようにしてもよい。
【００５４】
例えば、変形例では、処理部２６は、報知処理において、位置取得部２５により取得された現在位置が室内空間１１０の外であるかどうかに関係なく、送信処理を行ってもよい。あるいは、位置取得部２５により取得された現在位置が室内空間１１０の外である場合に処理部２６が送信処理を行うかどうかをユーザが（例えば、表示端末３０を用いて）選択できるようにしてもよい。さらに、現在位置が室内空間１１０の外である場合に現在位置が室内空間１１０に向かって移動していれば、処理部２６が送信処理を行うかどうかをユーザが（例えば、表示端末３０を用いて）選択できるようにしてもよい。
【００５５】
例えば、変形例では、表示端末３０は、自身の現在位置が室内空間１１０の外である場合は、報知情報を表示しないように構成されてもよい。例えば、表示端末３０は、処理部２６から報知情報を受け取ると、ＧＰＳ機能により自身の現在位置（ＧＰＳ座標）を取得する。表示端末３０は、ＧＰＳ座標において、自身の現在位置が、室内空間１１０の範囲内にあるかどうかを判定する。なお、ＧＰＳ座標における室内空間１１０の範囲は、予め表示端末３０に登録される。表示端末３０は、自身の現在位置が室内空間１１０の範囲内にあれば、処理部２６から受け取った報知情報を表示する。表示端末３０は、自身の現在位置が室内空間１１０の範囲内になければ、処理部２６から受け取った報知情報を表示しない。表示端末３０の現在位置が室内空間１１０の外である場合、表示端末３０のユーザは、空調機器９０を停止して室外空間１２０の空気を室内空間１１０に取り入れる行動をとることが難しい。この場合、表示端末３０は報知情報を表示しないから、ユーザに余計な情報を与えなくて済む。
【００５６】
例えば、変形例では、表示端末３０は、自身の現在位置が室内空間１１０の外である場合に現在位置が室内空間１１０に向かって移動していれば、報知情報を表示するように構成されてもよい。例えば、表示端末３０は、処理部２６から報知情報を受け取ると、ＧＰＳ機能により自身の現在位置（ＧＰＳ座標）を取得する。表示端末３０は、ＧＰＳ座標において、自身の現在位置が、室内空間１１０の範囲内にあるかどうかを判定する。表示端末３０は、自身の現在位置が室内空間１１０の範囲内にあれば、処理部２６から受け取った報知情報を表示する。表示端末３０は、自身の現在位置が室内空間１１０の範囲内になければ、現在位置が室内空間１１０に向かって移動しているかどうかを判定する。例えば、表示端末３０は、ＧＰＳ機能により現在位置の変化を取得し、現在位置の変化から現在位置が室内空間１１０の範囲に向かって移動しているかどうかを判定してもよい。現在位置が室内空間１１０に向かって移動していると判断した場合、表示端末３０は、処理部２６から受け取った報知情報を表示する。現在位置が室内空間１１０に向かって移動していないと判断した場合、表示端末３０は、処理部２６から受け取った報知情報を表示しない。現在位置が室内空間１１０に向かって移動している場合、表示端末３０のユーザは施設１００に向かっていると可能性が高く、空調機器９０を停止して室外空間１２０の空気を室内空間１１０に取り入れる行動をとることができる場合がある。そのため、ユーザが有用な報知情報を受け取れない可能性を低減できる。
【００５７】
あるいは、表示端末３０の現在位置が室内空間１１０の外である場合に表示端末３０が報知情報を表示するかどうかをユーザが（例えば、表示端末３０を用いて）選択できるようにしてもよい。さらに、表示端末３０の現在位置が室内空間１１０の外である場合に現在位置が室内空間１１０に向かって移動していれば表示端末３０が報知情報を表示するかどうかをユーザが（例えば、表示端末３０を用いて）選択できるようにしてもよい。
【００５８】
例えば、変形例では、位置取得部２５は、表示端末３０が宅内ネットワークに接続されていれば、表示端末３０の現在位置が室内空間（１１０）の内であると、処理部２６に通知してもよい。
【００５９】
例えば、変形例では、空調機器９０は、ヒートポンプを用いた空調装置以外の、電力、ガス、灯油のようなエネルギー源（二次エネルギー源）を消費して放熱又は吸熱を行う空調機器（例えば、吸収式の空調装置）があってもよい。また、空調機器９０の動作モードは、冷房モードと暖房モードとの一方を含んでいればよい。例えば、空調機器９０は、ストーブ、ファンヒータ、床暖房装置等であってもよく、この場合、空調機器９０の動作モードは暖房モードである。
【００６０】
３．態様
上記実施形態及び変形例から明らかなように、本発明に係る第１の態様の報知システム（１０）は、内気温取得部（２１）と、外気温取得部（２２）と、動作モード取得部（２３）と、処理部（２６）と、を備える。前記内気温取得部（２１）は、室内空間（１１０）の温度である内気温を取得するように構成される。前記外気温取得部（２２）は、室外空間（１２０）の温度である外気温を取得するように構成される。前記動作モード取得部（２３）は、前記室内空間（１１０）に対応する空調機器（９０）の動作モードを取得するように構成される。前記処理部（２６）は、前記内気温取得部（２１）により取得された前記内気温と前記外気温取得部（２２）により取得された前記外気温が、報知条件を満たす場合に、報知情報を出力する報知処理を行うように構成される。報知条件は、前記動作モード取得部（２３）により取得された前記動作モードに対応する温度条件を含む。前記温度条件は、少なくとも、前記内気温取得部（２１）により取得された前記内気温と前記外気温取得部（２２）により取得された前記外気温とが前記動作モード取得部（２３）により取得された前記動作モードに対応する相関関係を満たすことを条件とする。第１の態様によれば、空調機器（９０）の動作時に、空調機器（９０）の動作モードに応じて外気温と内気温との相関関係の報知を行える。
【００６１】
本発明に係る第２の態様の報知システム（１０）は、第１の態様との組み合わせにより実現され得る。第２の態様では、前記報知条件は、さらに、時間条件を含む。前記時間条件は、前記内気温取得部（２１）により取得された前記内気温と前記外気温取得部（２２）により取得された前記外気温が前記温度条件を満たしている状態が所定時間継続することを条件とする。第２の態様によれば、何らかの要因で一時的に温度条件が満たされた場合に、処理部（２６）が、内気温と外気温とが報知条件を満たしていると誤って判断してしまう可能性を低減できる。
【００６２】
本発明に係る第３の態様の報知システム（１０）は、第１又は第２の態様との組み合わせにより実現され得る。第３の態様では、前記相関関係は、前記室外空間（１２０）が前記室内空間（１１０）よりも快適である場合の前記内気温と前記外気温との関係である。第３の態様によれば、空調機器（９０）を停止して室外空間（１２０）の空気を室内空間（１１０）に取り入れた場合に室内空間（１１０）がユーザにとって快適な状態になる可能性が高くなる。
【００６３】
本発明に係る第４の態様の報知システム（１０）は、第１〜第３の態様のうちいずれか一つとの組み合わせにより実現され得る。第４の態様では、前記動作モードは、冷房モードを含む。前記温度条件は、前記冷房モードに対応する冷房温度条件を含む。前記冷房温度条件の前記相関関係は、前記外気温が前記内気温より低いという関係である。第４の態様によれば、空調機器（９０）の動作時に、空調機器（９０）の冷房モードに応じた外気温と内気温との相関関係の報知を行える。
【００６４】
本発明に係る第５の態様の報知システム（１０）は、第４の態様との組み合わせにより実現され得る。第５の態様では、前記冷房温度条件は、さらに、前記外気温が冷房閾温度以下であることを条件とする。第５の態様によれば、空調機器（９０）を停止して室外空間（１２０）の空気を室内空間（１１０）に取り入れた場合に室内空間（１１０）がユーザにとって快適な状態になる可能性がさらに高くなる。
【００６５】
本発明に係る第６の態様の報知システム（１０）は、第１〜第５の態様のうちいずれか一つとの組み合わせにより実現され得る。第６の態様では、前記動作モードは、暖房モードを含む。前記温度条件は、前記暖房モードに対応する暖房温度条件を含む。前記暖房温度条件の前記相関関係は、前記外気温が前記内気温より高いという関係である。第６の態様によれば、空調機器（９０）の動作時に、空調機器（９０）の暖房モードに応じた外気温と内気温との相関関係の報知を行える。
【００６６】
本発明に係る第７の態様の報知システム（１０）は、第６の態様との組み合わせにより実現され得る。第７の態様では、前記暖房温度条件は、さらに、前記外気温が暖房閾温度以上であることを条件とする。第７の態様によれば、空調機器（９０）を停止して室外空間（１２０）の空気を室内空間（１１０）に取り入れた場合に室内空間（１１０）がユーザにとって快適な状態になる可能性がさらに高くなる。
【００６７】
本発明に係る第８の態様の報知システム（１０）は、第１〜第７の態様のうちいずれか一つとの組み合わせにより実現され得る。第８の態様では、前記温度条件は、さらに、前記内気温と前記外気温との差の絶対値が所定値以上であることを条件とする。第８の態様によれば、ユーザに余計な報知情報を与えなくて済む。
【００６８】
本発明に係る第９の態様の報知システム（１０）は、第１〜第８の態様との組み合わせにより実現され得る。第９の態様は、表示端末（３０；３０Ａ，３０Ｂ，３０Ｃ）をさらに備える。前記報知処理は、前記報知情報を、前記表示端末（３０；３０Ａ，３０Ｂ，３０Ｃ）に送信する送信処理を含む。前記表示端末（３０；３０Ａ，３０Ｂ，３０Ｃ）は、前記報知情報を受け取ると、前記報知情報を表示するように構成される。第９の態様によれば、ユーザが報知情報に気付きやすくなる。
【００６９】
本発明に係る第１０の態様の報知システム（１０）は、第９の態様との組み合わせにより実現され得る。第１０の態様は、前記表示端末（３０；３０Ａ，３０Ｂ，３０Ｃ）の現在位置を取得する位置取得部（２５）をさらに備える。前記処理部（２６）は、前記報知処理において、前記位置取得部（２５）により取得された前記現在位置が前記室内空間（１１０）の外である場合は、前記送信処理を行わないように構成される。第１０の態様によれば、ユーザに余計な報知情報を与えなくて済む。
【００７０】
本発明に係る第１１の態様の報知システム（１０）は、第１０の態様との組み合わせにより実現され得る。第１１の態様では、前記処理部（２６）は、前記位置取得部（２５）により取得された前記現在位置が前記室内空間（１１０）の外である場合に前記現在位置が前記室内空間（１１０）に向かって移動していれば、前記送信処理を行うように構成される。第１１の態様によれば、ユーザが有用な報知情報を受け取れない可能性を低減できる。
【００７１】
本発明に係る第１２の態様の報知システム（１０）は、第９の態様との組み合わせにより実現され得る。第１２の態様では、前記表示端末（３０；３０Ａ，３０Ｂ，３０Ｃ）は、自身の現在位置が前記室内空間（１１０）の外である場合は、前記報知情報を表示しないように構成される。第１２の態様によれば、ユーザに余計な報知情報を与えなくて済む。
【００７２】
本発明に係る第１３の態様の報知システム（１０）は、第１２の態様との組み合わせにより実現され得る。第１３の態様では、前記表示端末（３０；３０Ａ，３０Ｂ，３０Ｃ）は、前記現在位置が前記室内空間（１１０）の外である場合に前記現在位置が前記室内空間（１１０）に向かって移動していれば、前記報知情報を表示するように構成される。第１３の態様によれば、ユーザが有用な報知情報を受け取れない可能性を低減できる。
【００７３】
本発明に係る第１４の態様の報知システム（１０）は、第９〜第１３の態様のうちいずれか一つとの組み合わせにより実現され得る。第１４の態様では、前記報知情報は、前記空調機器（９０）を停止して前記室外空間（１２０）の空気を前記室内空間（１１０）に取り入れることを促すメッセージを含む。第１４の態様によれば、ユーザが、空調機器（９０）を停止して室外空間（１２０）の空気を室内空間（１１０）に取り入れる行動をとりやすくなる。
【００７４】
本発明に係る第１５の態様の報知プログラムは、コンピュータシステム（２０，３０，４０）により実行されると、前記コンピュータシステム（２０，３０，４０）を報知システム（１０）として機能させるプログラムである。前記報知システム（１０）は、内気温取得部（２１）と、外気温取得部（２２）と、動作モード取得部（２３）と、処理部（２６）と、を備える。前記内気温取得部（２１）は、室内空間（１１０）の温度である内気温を取得するように構成される。前記外気温取得部（２２）は、室外空間（１２０）の温度である外気温を取得するように構成される。前記動作モード取得部（２３）は、前記室内空間（１１０）に対応する空調機器（９０）の動作モードを取得するように構成される。前記処理部（２６）は、前記内気温取得部（２１）により取得された前記内気温と前記外気温取得部（２２）により取得された前記外気温が、報知条件を満たす場合に、報知情報を出力する報知処理を行うように構成される。報知条件は、前記動作モード取得部（２３）により取得された前記動作モードに対応する温度条件を含む。前記温度条件は、少なくとも、前記内気温取得部（２１）により取得された前記内気温と前記外気温取得部（２２）により取得された前記外気温とが前記動作モード取得部（２３）により取得された前記動作モードに対応する相関関係を満たすことを条件とする。第１５の態様によれば、空調機器（９０）の動作時に、空調機器（９０）の動作モードに応じて外気温と内気温との相関関係の報知を行える。
【００７５】
本発明に係る第１６の態様の報知方法は、室内空間（１１０）の温度である内気温を、コンピュータシステム（２０，３０，４０）により取得し、室外空間（１２０）の温度である外気温を、前記コンピュータシステム（２０，３０，４０）により取得する。さらに、第１６の態様の報知方法は、空調機器（９０）の動作モードを、前記コンピュータシステム（２０，３０，４０）により取得する。第１６の態様の報知方法は、前記コンピュータシステム（２０，３０，４０）により取得された前記内気温及び前記外気温が報知条件を満たす場合に、前記コンピュータシステム（２０，３０，４０）により、報知情報を出力する報知処理を行う。前記報知条件は、前記コンピュータシステム（２０，３０，４０）により取得された前記動作モードに対応する温度条件を含む。前記温度条件は、少なくとも、前記コンピュータシステム（２０，３０，４０）により取得された前記内気温及び前記外気温が前記コンピュータシステム（２０，３０，４０）により取得された前記動作モードに対応する相関関係を満たすことを条件とする。第１６の態様によれば、空調機器（９０）の動作時に、空調機器（９０）の動作モードに応じて外気温と内気温との相関関係の報知を行える。
【符号の説明】
【００７６】
１０  報知システム
２０  コントローラ
２１  内気温取得部
２２  外気温取得部
２３  動作モード取得部
２５  位置取得部
２６  処理部
３０，３０Ａ，３０Ｂ，３０Ｃ  表示端末
４０  サーバ装置
５０  ネットワーク
９０  空調機器
１００  施設
１１０  室内空間
１２０  室外空間
【図１】
2018004201.tif 000003
【図２】
2018004201.tif 000004
【図３】
2018004201.tif 000005
【図４】
2018004201.tif 000006
【図５】
2018004201.tif 000007
【図６】
2018004201.tif 000008